(57)【要約】【課題】遊技店に設置される表示プレートの案内表示効果を向上させること。【解決手段】表示プレート１は、発光枠部２と発光枠部２の内側にはめ込まれた樹脂板３とからなる。発光枠部２は、透光性の樹脂中に微粒子を分散させた構成で、下端面８ａから入射した光を外周５、内周６、表面７、裏面７から放射する。冷陰極管１２を点灯すると、着色フィルム１１で着色された光が下端面８ａから発光枠部２に入射し、外周５、内周６、表面７、裏面７から放射されて発光する。樹脂板３は、内周６から入射した光を上端部７ｂへ誘導するので、上端部７ｂも下端部７ａと同程度に発光する。表示プレート１が光るので案内表示効果を良好にする。【選択図】  図１
2008054847.tif 000002
【特許請求の範囲】
【請求項１】
透光性の樹脂中に微粒子を分散させたことにより端面から入射した光を外周面から放射して発光する発光枠部と、
該発光枠部の内側にはめ込まれた樹脂板と
からなることを特徴とする表示プレート。
【請求項２】
前記樹脂板は透明である
ことを特徴とする請求項１記載の表示プレート。
【請求項３】
前記樹脂板には文字や図形などによる案内表示が印刷又は貼付されている
ことを特徴とする請求項１又は２記載の表示プレート。
【請求項４】
前記樹脂板を前記発光枠部から取り外して交換可能である
ことを特徴とする請求項１、２又は３記載の表示プレート。
【発明の詳細な説明】
【技術分野】
【０００１】
本発明は、遊技機設置島等に取り付けられる表示プレートの技術分野に属する。
【背景技術】
【０００２】
パチンコ店などにおいては、遊技機の機種名や新台入替等を表示した表示プレートを遊技機設置島等に取り付けて、遊技者に各種の案内を行っていた。
【特許文献１】特開平９−３８３１８号公報
【発明の開示】
【発明が解決しようとする課題】
【０００３】
しかしながら、照明や電飾等で賑やかな店内では、単なる表示プレートではいまひとつ有効性が無かった。
【課題を解決するための手段】
【０００４】
請求項１の表示プレートは、透光性の樹脂中に微粒子を分散させたことにより端面から入射した光を外周面から放射して発光する発光枠部と、該発光枠部の内側にはめ込まれた樹脂板とからなる。
【０００５】
冷陰極管やＬＥＤの光を発光枠部の端面から入射させると発光枠部が発光するので、その光で遊技者の目を引きつけることができ、表示効果を良好にする。また、光源（ＬＥＤ等）の点灯位置（発光枠部への入射位置）を変化させるとか、点滅や発光色を変える等により上記効果を向上させることができる。
【０００６】
このような発光枠部を形成するための樹脂材料、すなわち透光性の樹脂中に微粒子を分散させた樹脂材料は、特開２００１−１９５９１４号公報や特開２００５−１８１６３２号公報等に開示されている。
【０００７】
発光枠部の内側にはめ込まれる樹脂板の材質、物性等に制限はないが、透光性、特に請求項２記載の透明であると、発光枠部の内周面から放射されて樹脂板の外周面から入射した光をあまり減衰させずに誘導することができ、この誘導した光を発光枠部の光源から遠い部分に入射させることができる。つまり、樹脂板が導光板として機能し、光源から遠い部分にも、光源から近い部分と同程度の光を供給することができるので、発光枠部が全体としてバランスよく発光する。
【０００８】
表示プレートには、上述した機種名や新台入替等の案内表示が記載されるのが原則である。このような案内表示は、請求項３記載のように樹脂板に設けるのが好ましい。その場合、樹脂板に印刷してもよいし、シールに印刷してこのシールを樹脂板に貼付してもよい。シールを貼り替え可能にしておけば、例えば新台入替で機種名が変わるときに等にはシール交換で済すむから経済的、また省資源でもある。
【０００９】
一方、請求項４記載のように、前記樹脂板を前記発光枠部から取り外して交換可能にすれば、案内表示の内容変更には樹脂板を交換すればよい。また、案内表示の内容変更は伴わなくても、樹脂板の色や物性（透光性にするか不透明にするか等）を変更するために樹脂板を交換してもよい。
【発明を実施するための最良の形態】
【００１０】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例の表示プレート１の外形は縦長の平行四辺形状をしている。
【００１１】
この表示プレート１は外周部分の発光枠部２と、その内側にはめ込まれた樹脂板３とで構成されている。
発光枠部２は、特開２００１−１９５９１４号公報又は特開２００５−１８１６３２号公報等に開示の樹脂材料（アクリル樹脂、メタクリル樹脂、ポリカーボネート等の透明樹脂中に微粒子を分散（０．５〜２００ｐｐｍ）させた樹脂材料）にて成形されている。
【００１２】
発光枠部２は、樹脂板３をはめ込むための開口４が設けられており、外周５、内周６、表面７、裏面７とも滑らかな平面（コーナーでは曲面）である。このため、端面（例えば下端面８ａ）から光を入射すると、その光が内部の微粒子にて散乱さられて外周５、内周６、表面７、裏面７から放射される。つまり外周面が発光する。
【００１３】
樹脂板３は透明な合成樹脂製の板であり、その板厚は発光枠部２の厚みと等しく、外周９の形状は開口４（内周６）の形状に整合している。従って、表示プレート１は全体として厚みが均等な板状である。また、樹脂板３の表面１０ａには案内表示である文字や図形（図示の例では「イベント開催中」の文字）が記載されている。裏面１０ｂにも案内表示を記載してもよいが、本実施例では紙が貼付されており、表面１０ａの案内表示を読みやすくしてある。
【００１４】
この表示プレート１は、遊技機設置島のプレート差込部（図示略）に下端部を差し込むことで保持される。なお、プレート差込部は表示プレート１抜き差し、つまり交換可能である。
【００１５】
そのプレート差込部には、図１に示すように透光性の着色フィルム１１と冷陰極管１２とが、ともに交換可能に保持されている。
冷陰極管１２を点灯すると、その光は着色フィルム１１を透過する際に着色フィルム１１の色になり、これが下端面８ａから発光枠部２に入射する。
【００１６】
その光の一部は発光枠部２の内部の微粒子にて散乱される。
そうした散乱光の一部は表面７、裏面７から放射されるので、相対的に光量が多い下端面８ａ付近の下縁部７ａでは表面７、裏面７及び外周５が発光する。
【００１７】
また、散乱させられても、表面７、裏面７又は外周５への入射角度によっては、この界面で全反射されるので、発光枠部２の内部を通って上端面８ｂ方向に誘導される。
そうした光の多くは、内周６から放射されて樹脂板３に入射する。
【００１８】
樹脂板３は透明で、その内部には光を散乱させる微粒子等は無いので、樹脂板３に入射した光は散乱されない。従って、樹脂板３に入射した光の大半は樹脂板３の表面における全反射で誘導されて、樹脂板３の他端面から上端面８ｂ付近の上縁部７ｂに入射する。そして、上縁部７ｂにては発光枠部２の内部の微粒子にて散乱されるので、下縁部７ａと同様に、表面７、裏面７及び外周５が発光する。
【００１９】
また、下縁部７ａを通過した光の一部（内周６から樹脂板３に入射しなかった光）は、発光枠部２の側縁部７ｃを通って上端面８ｂ方向に向かう。この経路には微粒子が存在するので、それによって散乱させられて下縁部７ａや上縁部７ｂと同様に、表面７、裏面７及び外周５が発光する。但し、下縁部７ａ付近の方が明るくて、上縁部７ｂに近づくにつれて明るさが低下する傾向はある。
【００２０】
なお、発光枠部２の内周６から放射された光の一部は樹脂板３の外周９にて反射されるものがあるので、わずかながら樹脂板３の外周９付近も光って見える。
このように、発光枠部２の外周５、内周６、表面７、裏面７から光が放射されて光るので、この発光効果により、遊技者の目を表示プレート１に引きつけることができ、表示プレート１の案内表示効果を良好にする。また、光源である冷陰極管１２を点滅させると、この効果を向上させることができる。
【００２１】
なお、着色フィルム１１を交換して色を変えれば、それに応じて表示プレート１の発光色も変わる。
以上のように、本実施例の表示プレート１は、照明や電飾等で賑やかな店内でも十分に目立って、良好な案内表示を行える。
【００２２】
なお、表示プレート１の形状は、上記の例に限るものではなく、様々にできる。例えば図２に示すような半円状などにもできる。また、表示プレート１（樹脂板３）に記載する文字なども同様で、「大当たり」、「挑戦中」、「分煙コーナー」等さまざまにできる。
【図面の簡単な説明】
【００２３】
【図１】実施例の表示プレートの構造説明図。
【図２】表示プレートの変形例の説明図。
【符号の説明】
【００２４】
１・・・表示プレート、
２・・・発光枠部、
３・・・樹脂板、
４・・・開口、
５・・・外周、
６・・・内周、
８・・・下端面、
１１・・・着色フィルム、
１２・・・冷陰極管。
【図１】
2008054847.tif 000003
【図２】
2008054847.tif 000004